(57)【要約】      （修正有）【課題】若年、子達の使用に適した、衛生具として趣向性に富んだ、紙製石鹸を提供する。【解決手段】紙製の石鹸を動物、植物、人形、キャラクター等の形状にすることで、楽しさの中で手を洗う習慣を身につける事ができる。また香りと色を付加する事で多種多様なバリエーションを持つ事で香りが楽しめる装飾品として使用する事にもなり、郵送カードに挿入したり、封書の中に入れたり、多目的使用が広がり若年層、子供達が使用する事が増え衛生具として趣向性が高まり、数字、記号、文字等の形状を付加する事で教材にもなり得る紙製石鹸となる。【選択図】なし【実用新案登録請求の範囲】
【請求項１】
木製の板に軟質ゴム、または樹脂発泡材使用の弾力性を持った物を貼り付けその上に鋼の薄い板を目的とする形状に折り曲げたものを打ち込みその先端に抜き刃となる刃を取り付けたもので紙製の石鹸を、動物、植物、人形、キャラクター等の形状に型抜きされた石鹸。
【請求項２】
動物、植物、人形、キャラクター等の形状に型抜きされた紙製の石鹸をポストカードやグリーティングカード等の一部に収納スペースを設けて郵送や贈り物として使用するパッケージに挿入する。
【請求項３】
花、お菓子、くだもの等の形状にあわせて、その香りを付加したり、数字、記号、文字等の形状を付加した紙製石鹸。
【考案の詳細な説明】
【考案の詳細な説明】
【技術分野】
【０００１】  本考案は、紙製石鹸の改良に関し、従来の形状と異なり使用目的に応じた形状にする事により、子供達に手を洗う習慣を楽しさの中で身につけるできると共に石鹸としての使用以外に小物入れや封書の中に入れる、香りと装飾小物として使用できる。
【背景技術】
【０００２】  従来、斯かる手を洗う紙製の石鹸は、存在していたが、デザインを表示する為の印刷が出来ず紙である事の材質を生かされず、従来の固形石鹸との差別化が出来なかった。
【考案が解決しようとする課題】
【０００３】  上述した紙製石鹸にあっては、従来の固形石鹸と比べて携帯に要するよう小さく薄いカード状にしたが、手を洗う楽しさ、趣向性に乏しいものであった。
【０００４】  本考案は、このような従来の問題点に鑑みてなされたもので、簡単な構成でありながら形状、デザインを有する事で他の使用法が展開できる趣向性の高い紙製石鹸を提供する事を目的とした物である。
【課題を解決するための手段】
【０００５】  上述のように従来の問題点を解決し、所期の目的を達成する為本考案の要旨とする構成は、紙質の石鹸を刃付き抜き型で動物、植物、人形、キャラクター等の形状に型抜きし１回に１枚使用する適量のサイズにした。
【０００６】  また手を洗う時に石鹸が手に残らない手段として厚みを０．２ｍｍまでとし、紙製の石鹸の形状の内側に図柄を型抜きする場合本体が破損する事をなくするため、２ｍｍ幅までの線を型抜き条件とする。
【考案実施の形態】
【０００７】  次に、本考案の実施の一例を図面を参照しながら説明する。図中Ａは本考案に係る紙製石鹸であり、図１に示すよう人形の形状に型抜きしたものである。図２に示したのは、図柄に詳細の要求があった場合本体の内側に線で抜きをしたものである。
【０００８】  また、本考案の紙製石鹸は、手を洗う時一回に一枚の使用適量として４０ｍｍ〜５５ｍｍ角を基準として厚さ０．２ｍｍまでに設定している。
【０００９】  また、本考案の紙製石鹸で図３に示している、封書で使用する場合の紙製石鹸は、１５ｍｍ〜３０ｍｍ角を基準として厚さ０．２ｍｍまでに設定する。手を洗う時は、２枚くらい使用する。
【００１０】図３の３は、ポストカードの正面図で、紙製石鹸を挿入した時の図である。また図３の３ａはポストカードの断面図で、図３ー６の収納スペースに図３ー５の紙製石鹸を挿入して図３ー８の両面テープの上紙をはがして、図３ー３の表しを貼付ける。また図３の３ｂは、紙製石鹸を挿入する前のポストカードの斜視図である。
【００１１】  また、図３ー７は、挿入された紙製石鹸を取り出す時の開封用切り取り線である。
【００１２】  本考案の紙製石鹸は、動物、植物、人形、キャラクター等の形状に花や果物等の香りを付加することもでき、色数も多種仕様ができるので子供達の気持ちを引く事ができ、紙製石鹸としての趣向性を高める事ができる。
【考案の効果】
【００１３】  本考案は、上述のように構成され動物、植物、人形、キャラクター等の形状に花や果物等の香りを付加することもでき、色数も多種仕様ができるので多彩なバリエーションを付加し得るため、簡単な構成でありながら衛生具として趣向性の高い紙製石鹸を提供できるようになった。
【００１４】  また、紙製石鹸に数字、図柄、文字若しくは、記号等の形状を有することで、手を洗う事を楽しみながら覚えるといった幼児等の教材としても使用できる。
【００１５】  このように本考案の紙製石鹸は、従来の石鹸に比して形状、図柄を有する事で衛生具としての趣向性及び発展性に優れる他、構成が単純であるため大量生産に適し、価格も低廉なものとして需要者に供給できる等、本考案を実施する事は、その実益的価値が甚だ大である。
【図面の簡単な説明】
【００１６】
【図１】  図１は、本考案に係る紙製石鹸の形状を示す正面図である。
【図２】  図２は、紙製石鹸の内側に図柄を型抜きした正面図である。
【図３】  図３は、ポストカード及び郵送できるカードに紙製石鹸を挿入した時の正面図である。
【符号の説明】
【００１７】  １  紙製石鹸（外形型抜き）
２  紙製石鹸（内側図柄型抜き）
３  ポストカード
３ａ  ポストカードの断面図
３ｂ  ポストカードの斜視図
４  透明フィルム
５  紙製石鹸（郵送用ミニサイズ）
６  紙製石鹸収納スペース
７  開封切り取り線
８  両面テープ
【図１】
0003112082.tif 000002
【図２】
0003112082.tif 000003
【図３】
0003112082.tif 000004
【手続補正書】
【提出日】平成17年3月31日(2005.3.31)
【手続補正１】
【補正対象書類名】実用新案登録請求の範囲
【補正対象項目名】全文
【補正方法】変更
【補正の内容】
【実用新案登録請求の範囲】
【請求項１】
木製の板に軟質ゴム、または樹脂発泡材使用の弾力性を持った物を貼り付けその上に鋼の薄い板を目的とする形状に折り曲げたものを打ち込みその先端に抜き刃となる刃を取り付けたもので紙状の石鹸を、動物、植物、人形、キャラクター等の形状に型抜きしてなることを特徴とするぬき絵紙石鹸。
【請求項２】
動物、植物、人形、キャラクター等の形状に型抜きされた紙状の石鹸と、一部に該石鹸を収納するためのスペースを有するポストカードやグリティングカード等のカードとを備えたことを特徴とするぬき絵紙石鹸。
【請求項３】
花、、お菓子、くだもの等の形状に合わせて、その香りを付加したり、数字、記号、文字等の形状を付加したことを特徴とするぬき絵紙石鹸。
【手続補正２】
【補正対象書類名】明細書
【補正対象項目名】０００１
【補正方法】変更
【補正の内容】
【０００１】
【考案の属する技術分野】
本考案は、紙状に薄く形成された石鹸（以下、単に紙製石鹸という）の改良に関し、従来の形状と異なり使用目的に応じた形状にすることにより、子供達に手を洗う習慣を楽しさの中で身につけることができると共に、石鹸としての使用以外に小物入れや封書の中に入れる、香りと装飾小物としても使用できるぬき絵紙石鹸に関する。
【手続補正３】
【補正対象書類名】図面
【補正対象項目名】全図
【補正方法】変更
【補正の内容】
【図１】
0003112082.tif 000005
【図２】
0003112082.tif 000006
【図３】
0003112082.tif 000007